(57)【要約】【課題】本発明は、グリップ部材の端部の剥離を確実に防止することができ、外観が良好で手で握り易いリール脚固定装置を得ることにある。【解決手段】リール脚固定装置2は、リール脚3を支持する筒状のリールシート本体5と、リールシート本体5よりも軟質な材料で形成されて、リールシート本体5の外面を被覆するグリップ部材20と、を備えている。グリップ部材20の端部23とリールシート本体5との接触部分に、リールシート本体5の径方向に相対的に引っ掛かる嵌合部31,40,50が形成されている。【選択図】      図６
2008029298.tif 000002
【特許請求の範囲】
【請求項１】
リール脚を支持する筒状のリールシート本体と、
上記リールシート本体よりも軟質な材料で形成されて、上記リールシート本体の外面を被覆するグリップ部材と、を具備し、
上記グリップ部材の端部と上記リールシート本体との接触部分に、上記リールシート本体の径方向に相対的に引っ掛かる嵌合部を設けたことを特徴とするリール脚固定装置。
【請求項２】
請求項１の記載において、上記嵌合部は、上記リールシート本体に形成された貫通孔と、上記グリップ部材の端部に形成され、上記貫通孔に嵌合するとともに上記グリップ部材の端部との間で上記貫通孔の開口縁部を挟み込むアンカー部と、を備えていることを特徴とするリール脚固定装置。
【請求項３】
請求項２の記載において、上記グリップ部材のアンカー部は、上記リールシート本体の内側に露出されて、上記リールシート本体を貫通する竿管に接着されていることを特徴とするリール脚固定装置。
【請求項４】
請求項３の記載において、上記グリップ部材のアンカー部は、上記リールシート本体の軸方向に延びる延長部を有し、この延長部は、上記リールシート本体と上記竿管との間に介在されていることを特徴とするリール脚固定装置。
【請求項５】
請求項１の記載において、上記嵌合部は、上記グリップ部材の端部に対応するように上記リールシート本体に形成されたアンダーカット部と、上記グリップ部材の端部に形成され、上記アンダーカット部に入り込む抜け止め部と、を備えていることを特徴とするリール脚固定装置。
【請求項６】
請求項５の記載において、上記リールシート本体は、上記グリップ部材が埋め込まれる凹部を含み、この凹部は、上記リールシート本体の外面に開口する開口縁部を有するとともに、上記アンダーカット部は、上記凹部の開口縁部に形成されていることを特徴とするリール脚固定装置。
【請求項７】
請求項１の記載において、上記嵌合部は、上記リールシート本体から突出する凸部と、上記凸部に対応するように上記グリップ部材の端部に形成された凹部とを含み、上記凸部と上記凹部とは、上記リールシート本体の径方向に相対的に引っ掛かることを特徴とするリール脚固定装置。
【請求項８】
請求項７の記載において、上記凸部と上記凹部との接触部分は、上記リールシート本体の径方向外側に進むに従い上記リールシート本体の軸線に対し傾斜していることを特徴とするリール脚固定装置。
【請求項９】
請求項１ないし請求項８のいずれかの記載において、上記グリップ部材の端部は、先細りの形状を有することを特徴とするリール脚固定装置。
【発明の詳細な説明】
【技術分野】
【０００１】
本発明は、魚釣用リールのリール脚を支持するリールシート本体を、軟質なグリップ部材で被覆したリール脚固定装置に関する。
【背景技術】
【０００２】
釣竿は、元竿管の手元側に魚釣用リ−ルを固定するリール脚固定装置を備えている。リール脚固定装置は、リール脚を受け止める載置面が形成された筒状のリールシート本体と、リールシート本体にリール脚を固定する固定フードおよび移動フードとを有している。
【０００３】
固定フードは、リールシート本体に一体に形成されて、載置面に対する位置が固定的に定められている。移動フードは、固定フードに近づいたり遠ざかる方向に移動可能にリールシート本体に支持されている。この移動フードを移動させることで、リール脚を固定フードとの間で挟み込んだり、リール脚の挟み込みを解除することができ、魚釣用リールをリールシート本体に対し取り外し可能に固定できる。
【０００４】
ところで、実際に魚釣りをする際に、釣人は、片手でリールシート本体とリール脚との固定部分を包み込むようにしてリールシート本体を握り、釣竿を操作することになる。従来のリール脚固定装置では、リールシート本体を手で握った時のフィット感を高めたり、手の滑りを防止するため、リールシート本体のうち少なくとも手で握る領域を軟質なグリップ部材で被覆している。
【０００５】
特許文献１および特許文献２は、リールシート本体の外面をグリップ部材で被覆したリール脚固定装置を開示している。グリップ部材は、ウレタンあるいはスチレン系の熱可塑性エラストマーのような弾性材料で形成されており、リールシート本体の外面に接着等の手段により固定されている。
【特許文献１】特開２００３−２７４８１３号公報
【特許文献２】特開平９−２７５８５７号公報
【発明の開示】
【発明が解決しようとする課題】
【０００６】
従来のリール脚固定装置によると、グリップ部材の前端又は後端は、リールシ−ト本体の周方向に連続しておらず、リールシート本体の外面の一部を覆っているに止まっている。さらに、例えばデザイン的な要求により、グリップ部材の前端又は後端を先細り状に形成した場合、グリップ部材の前端又は後端では、グリップ部材とリールシート本体との接触面積が少なくなる。
【０００７】
特に、グリップ部材の前端又は後端が先細りの形状をなしていると、ここに指先が引っ掛かる虞がある。この結果、グリップ部材の前端又は後端がリールシート本体の外面から剥離し易くなり、これが原因でリール脚固定装置の外観に悪影響が生じたり、リールシート本体を手で握る際の妨げとなるといった不具合が生じてくる。
【０００８】
本発明の目的は、グリップ部材の端部の剥離を確実に防止することができ、外観が良好で握り易いリール脚固定装置を得ることにある。
【課題を解決するための手段】
【０００９】
上記目的を達成するため、本発明の一つの形態に係るリール脚固定装置は、  
リール脚を支持する筒状のリールシート本体と、  
上記リールシート本体よりも軟質な材料で形成されて、上記リールシート本体の外面を被覆するグリップ部材と、を備えており、  
上記グリップ部材の端部と上記リールシート本体との接触部分に、上記リールシート本体の径方向に相対的に引っ掛かる嵌合部を設けたことを特徴としている。
【発明の効果】
【００１０】
本発明によれば、嵌合部の存在により、グリップ部材の端部がリールシート本体の外面に引っ掛かった状態に保持される。そのため、グリップ部材の端部がリールシート本体の外面から剥離するのを防止でき、長期の使用においてもリール脚固定装置の外観品質や把持性を良好に保つことができる。
【発明を実施するための最良の形態】
【００１１】
以下本発明の第１の実施の形態を、図１ないし図８に基づいて説明する。
【００１２】
図１ないし図３は、釣竿の元竿管１に固定されたリール脚固定装置２を開示している。リール脚固定装置２は、元竿管１に魚釣用リールのリール脚３を取り外し可能に固定するためのものである。リール脚３は、元竿管１の軸方向に延びる連結部４を備えている。連結部４は、円弧状に湾曲する断面形状を有している。
【００１３】
リール脚固定装置２は、元竿管１が貫通する円筒状のリールシート本体５を備えている。リールシート本体５は、例えばポリアミド、ＡＢＳ樹脂、ポリエチレンのような硬質な合成樹脂材料により形成されている。リールシート本体５は、元竿管１に接着等の手段により固定されている。
【００１４】
リールシート本体５は、リール脚３の連結部４を受け止める載置面７と、載置面７の前方に位置する筒状部８と、載置面７の後方に位置する雄ねじ部９とを一体に備えている。載置面７、筒状部８および雄ねじ部９は、元竿管１の軸方向に一列に並んでいる。
【００１５】
図３および図４に示すように、載置面７は、リールシート本体５の下面に露出するとともに、このリールシート本体５の軸方向に延びている。さらに、載置面７は、リール脚３の連結部４の曲率に沿うように円弧状に湾曲している。
【００１６】
載置面７の前端と筒状部８との境界部分に固定フード１０が一体に形成されている。固定フード１０は、載置面７よりもリールシート本体５の下方に向けて張り出している。固定フード１０は、リール脚３の連結部４の一端４ａが挿入されるスリット状の開口１１を有している。開口１１は、載置面７の後方に向けて開口している。
【００１７】
雄ねじ部９は、載置面７の後端部から筒状部８と同軸状に突出している。雄ねじ部９の外周に移動フード１３が配置されている。移動フード１３は、円筒状のフード本体１４とナット部材１５とを備えている。
【００１８】
フード本体１４は、その前端部に膨出部１６を有している。膨出部１６は、載置面７よりもリールシート本体５の下方に向けて張り出している。膨出部１６は、リール脚３の連結部４の他端４ｂが挿入されるスリット状の開口１７を有している。開口１７は、載置面７の前方に向けて開口している。
【００１９】
そのため、固定フード１０と移動フード１３とは、載置面７を間に挟んで互いに向かい合っている。
【００２０】
ナット部材１５は、フード本体１４の後端部に同軸状に連結されて、このフード本体１４と一体化されている。ナット部材１５は、リールシート本体５の雄ねじ部９にねじ込まれている。このねじ込みにより、移動フード１３は固定フード１０に近づいたり遠ざかる方向に移動可能にリールシート本体５に支持されている。
【００２１】
リール脚３の連結部４の一端４ａは、固定フード１０の開口１１に挿入されて、この固定フード１０と載置面７との間で保持されている。リール脚３の連結部４の他端４ｂは、移動フード１３を固定フード１０に向けて移動させることで、フード本体１４の膨出部１６と載置面７との間で保持される。
【００２２】
したがって、リール脚３は、固定フード１０と移動フード１３との間でリールシート本体５の軸方向に挟み込まれるとともに、両方のフード１０，１３を介して載置面７に押し付けられるような力を受ける。これにより、魚釣用リールがリールシート本体５の定位置に固定されるようになっている。
【００２３】
載置面７に対する固定フード１０および移動フード１３の位置関係は、第１の実施の形態に特定されるものではない。例えば載置面７の前端に移動フード１３を配置するとともに、載置面７の後端に固定フード１０を配置してもよい。
【００２４】
図１に示すように、実際に魚釣を行う場合、釣人は、リール脚３を固定したリールシート本体５を片手で把持する。具体的には、片方の手の親指f1をリールシート本体５の筒状部８に押し当てた状態で、人差し指f2、中指f3および薬指f4でリールシート本体５を握るとともに、小指f5を移動フード１３のフード本体１４に掛ける。この際、人差し指f2
は、筒状部８に下方から巻きつけられて、固定フード１０に接している。中指f3および薬指f4は、リールシート本体５に巻きつけられて、リール脚３の連結部４を下方から押さえるとともに、リール脚３を挟み込んでいる。
【００２５】
そのため、釣人は、リールシート本体５とリール脚３との固定部分を片手で包み込むようにして釣竿を操作することになる。
【００２６】
図１ないし図４に示すように、リールシート本体５の外面うち少なくとも釣人が手で握る領域は、リールシート５よりも軟質なグリップ部材２０で被覆されている。グリップ部材２０は、手で握った時のフィット感に優れ、かつ手が滑り難い材料、例えばウレタン系、スチレン系、オレフィン系の熱可塑性エラストマーあるいは合成ゴムのようなゴム状弾性体で形成するのが好ましく、さらにポリウレタン、塩化ビニルのような熱可塑性樹脂を用いることもできる。
【００２７】
本実施の形態では、グリップ部材２０は、例えば二色成形機を用いてリールシート本体５と一体的に射出成形されている。そのため、リールシート本体５とグリップ部材２０とは、互いに密着している。
【００２８】
グリップ部材２０は、二色成形機を用いた射出成形によって成形することに限らず、例えばインサート成形によって成形するようにしてもよい。さらに、リールシート本体５とグリップ部材２０とを個別に成形した後、これら両者を組み合わせて互いに接着してもよい。
【００２９】
図４に示すように、グリップ部材２０は、本体部２１と延出部２２とを備えている。本体部２１は、固定フード１０の前方から載置面７の反対側にかけての領域をリールシート本体５の周方向に連続して覆うような筒状をなしている。
【００３０】
本体部２１は、リールシート本体５を手で握った時に、人差し指f2の腹が接する第１の領域２１ａと、手のひら、中指f3の指先および薬指f4の指先が接する第２の領域２１ｂとを有している。
【００３１】
第１の領域２１ａは、固定フード１０よりも前方に位置している。第１の領域２１ａは、固定フード１０の前方に進むに従いリールシート本体５の周方向に沿う寸法が逐次減少するような先細りの形状を有している。このため、図４（Ｂ）に示すように、本体部２１の前端部２３の幅Ｗは、リールシート本体５の筒状部８の直径Ｄよりも小さい。
【００３２】
さらに、本体部２１の第１の領域２１ａに複数の第１の窪み部２４が形成されている。第１の窪み部２４は、例えばリールシート本体５の周方向に沿う溝状をなすとともに、リールシート本体５の軸方向に間隔を存して並んでいる。
【００３３】
本体部２１の第２の領域２１ｂは、載置面７の反対側に位置している。第２の領域２１ｂに複数の第２の窪み部２５が形成されている。第２の窪み部２５は、例えば円形の小さな凹みであって、第２の領域２１ｂの広範囲に亘ってマトリクス状に分散して配置されている。
【００３４】
グリップ部材２０の本体部２１は、第２の領域２１ｂの左右の側縁部から載置面７に向けて延びる一対の側部２６ａ，２６ｂを有している。グリップ部材２０の延出部２２は、側部２６ａ，２６ｂの間に跨るように載置面７の上を横切るとともに、リールシート本体５およびリール脚３の連結部４の曲率に沿うように湾曲している。このため、延出部２２に対応する位置では、グリップ部材２０は、延出部２２と協働してリールシート本体５を周方向に連続して取り囲んでいる。
【００３５】
さらに、延出部２２は、載置面７を全面的に覆うことなく載置面７の一部のみを覆っている。このことから、延出部２２は、載置面７にリール脚３の連結部４を固定した時に、連結部４の一端４ａと他端４ｂとの間に位置している。
【００３６】
図５に最もよく示されるように、リールシート本体５の外面のうち、グリップ部材２０で被覆される領域に嵌合凹部２７が形成されている。嵌合凹部２７は、グリップ部材２０の本体部２１がきっちりと嵌まり込むように、本体部２１と同形状に凹んでいるとともに、リールシート本体５の外面に位置する開口縁部２８を有している。
【００３７】
本実施の形態によると、本体部２１の厚みと嵌合凹部２７の深さとは同等となっている。この結果、本体部２１は、リールシート本体５の外面と面一となるように嵌合凹部２７に埋め込まれており、リールシート本体５を手で握った時に違和感が生じることはない。
【００３８】
加えて、本実施の形態では、凹所２７の開口縁部２８とグリップ部材２０の本体部２１との境界部分および本体部２１と側部２６ａ，２６ｂとの境界部分にライン上の窪み２９が形成されている。窪み２９は、リール脚固定装置２の外観上の一つのアクセントとなるとともに、滑り止めを兼ねている。
【００３９】
図５に示すように、リールシート本体５の嵌合凹部２７は、載置面７に位置する凹所２７ａを含んでいる。凹所２７ａは、グリップ部材２０の延出部２２に対応するように、載置面７をリールシート本体５の径方向に横切っている。グリップ部材２０の延出部２２は、凹部２７ａにきっちりと嵌まり合うとともに、載置面７から僅かに突出している。
【００４０】
図６ないし図８に示すように、グリップ部材２０の本体部２１の前端部２３とリールシート本体５の嵌合凹部２７との接触部分に嵌合部３１が形成されている。嵌合部３１は、貫通孔３２とアンカー部３３とを備えている。
【００４１】
貫通孔３２は、リールシート本体５の嵌合凹部２７の底面に形成されて、グリップ部材２０の前端部２３よりも固定フード１０の方向にずれている。貫通孔３２は、リールシート本体５の筒状部８を貫通して筒状部８の内面に開口している。
【００４２】
さらに、筒状部８の内面に嵌合溝３４が形成されている。嵌合溝３４は、リールシート本体５の軸方向に延びるとともに、貫通孔３２の上を横切っている。このため、貫通孔３２は、嵌合凹部２７の底面および嵌合溝３４に開口する円形の開口縁部３２ａを有している。
【００４３】
アンカー部３３は、グリップ部材２０の前端部２３に一体に形成されている。アンカー部３３は、第１の部分３５と第２の部分３６とを備えている。
【００４４】
第１の部分３５は、リールシート本体５の貫通孔３２に嵌まり込んでいる。第２の部分３６は、第１の部分３５よりも大きな形状を有している。第２の部分３６は、嵌合溝３４の一端に入り込むとともに、グリップ部材２０の前端部２３との間で貫通孔３２の開口縁部３２ａをリールシート本体５の径方向に挟み込んでいる。
【００４５】
このため、貫通孔３２とアンカー部３３とは、リールシート本体５の径方向に相対的に引っ掛かっており、グリップ部材２０の前端部２３を嵌合凹部２７の底面に沿うように保持している。
【００４６】
図７に示すように、アンカー部３３の第２の部分３６は、リールシート本体５の軸方向に延びる帯状の延長部３７を一体に有している。延長部３７は、第２の部分３６と一緒に嵌合溝３４に嵌まり込んでいる。
【００４７】
このため、延長部３７を含む第２の部分３６は、リールシート本体５の内側に露出されて、リールシート本体５と元竿管１との間に介在されている。本実施の形態では、第２の部分３６および延長部３７は、元竿管１にリールシート本体５を接着する際に、このリールシート本体５と一緒に元竿管１に接着されている。
【００４８】
魚釣用リールのリール脚３をリールシート本体５に固定するには、まず、リール脚３の連結部４をリールシート本体５の載置面７に導き、連結部４の一端４ａを固定フード１０の開口１１に挿入する。
【００４９】
次に、移動フード１３のナット部材１５を締め付け方向に回転させる。この回転により、フード本体１４がナット部材１５と一緒に固定フード１０に近づく方向に移動し、フード本体１４の膨出部１６が連結部４の他端４ｂに被さる。ナット部材１５をさらに締め付けていくと、リール脚３の連結部４が固定フード１０と移動フード１３との間で挟み込まれるとともに、これら両フード１０，１３を介して載置面７に向けて押圧される。
【００５０】
載置面７の一部は、グリップ部材２０の延出部２２によって覆われている。延出部２２は、載置面７から僅かに突出しているので、リール脚３の連結部４が固定フード１０および移動フード１３を介して載置面７に押し付けられると、延出部２２がリールシート本体５と連結部４との間で圧縮されて、連結部４に弾性的に密着する。
【００５１】
この結果、リール脚３の連結部４と延出部２２との接触部分に外部からの負荷に対抗し得るような摩擦力が付与される。よって、リール脚３は、固定フード１０、移動フード１３およびグリップ部材２０の延出部２２によってリールシート本体５の載置面７に強固に保持される。
【００５２】
このような本発明の第１の実施の形態によれば、グリップ部材２０の前端部２３に位置するアンカー部３３がリールシート本体５の貫通孔３２に嵌まり込み、このアンカー部３３がグリップ部材２０の前端部２３と協働して貫通孔３２の開口縁部３２ａをリールシート本体５の径方向に挟み込んでいる。
【００５３】
言い換えると、貫通孔３２とアンカー部３３とがリールシート本体５の径方向に相対的に引っ掛かり、グリップ部材２０の前端部２３を嵌合凹部２７の底面に沿うように保持している
このため、グリップ部材２０の前端部２３が固定フード１０の前方に進むに従い先細りの形状を有するにも拘らず、このグリップ部材２０の前端部２３が嵌合凹部２７の底面から剥離し難くなる。よって、長期に亘る使用においても、リール脚固定装置２の外観品質や把持性を良好に維持することができる。
【００５４】
しかも、第１の実施の形態によると、アンカー部３３の第２の部分３６は、リールシート本体５の軸方向に延びる帯状の延長部３７を有し、この延長部３７がリールシート本体５の内面の嵌合溝３４に嵌まり込んでいる。そのため、アンカー部３３とリールシート本体５との接触面積が増大し、リールシート本体５に対するアンカー部３３の密着力が増大する。
【００５５】
それとともに、延長部３７を含む第２の部分３６は、リールシート本体５の内側に露出されて、このリールシート本体５と一緒に元竿管１に接着されている。この結果、アンカー部３３をリールシート本体５に強固に固定することができ、グリップ部材２０の前端部２３の剥離をより確実に防止できる。
【００５６】
さらに、アンカー部３３は、グリップ部材２０の前端部２３とリールシート本体５の嵌合凹部２７の底面との間に位置するので、アンカー部３３と貫通孔３２との嵌合部分をグリップ部材２０の前端部２３で覆い隠すことができる。同様に、アンカー部３３の延長部３７にしても、リールシート本体５の内側に位置するので、この延長部３７をリールシート本体５によって覆い隠すことができる。
【００５７】
したがって、グリップ部材２０の前端部２３の剥離を防止する構成要素がリール脚固定装置２の外から見えなくなり、リール脚固定装置２の外観的な面でも好都合となる。
【００５８】
なお、本発明は上記第１の実施の形態に特定されるものではなく、発明の主旨を逸脱しない範囲内で種々変形して実施可能である。
【００５９】
例えば、図９ないし図１１は本発明の第２の実施の形態を開示している。
【００６０】
この第２の実施の形態は、グリップ部材２０の前端部２３とリールシート本体５の嵌合凹部２７との接触部分に形成される嵌合部４０の構成が上記第１の実施の形態と相違しており、これ以外のリール脚固定装置２の構成は、基本的に第１の実施の形態と同様である。
【００６１】
図９および図１０に示すように、嵌合部４０は、リールシート本体５に形成されたアンダーカット部４１と、グリップ部材２０の前端部２３に形成された抜け止め部４２とを備えている。
【００６２】
アンダーカット部４１は、グリップ部材２０の前端部２３に対応するように、嵌合凹部２７の前端に位置している。アンダーカット部４１は、嵌合凹部２７の前端においてリールシート本体５の肉が削られて溝のように窪んでいる。さらに、アンダーカット部４１は、嵌合凹部２７の開口縁部２８からリールシート本体５の内面に向けて傾斜する傾斜面４３を有している。そのため、アンダーカット部４１は、嵌合凹部２７の周囲に向けて先細り状に尖っている。
【００６３】
抜け止め部４２は、グリップ部材２０の前端部２３から張り出している。抜け止め部４２は、アンダーカット部４１の傾斜面４３に対応する係止面４４を有している。このことから、抜け止め部４２は、アンダーカット部４１にきっちりと嵌まり込むように先細り状に尖っており、その係止面４４が傾斜面４３に接している。
【００６４】
このような第２の実施の形態によれば、グリップ部２０の前端部から張り出す抜け止め部４２が嵌合凹部２７の前端のアンダーカット部４１に嵌まり込み、アンダーカット部４１の傾斜面４３と抜け止め部４２の係止面４４とがリールシート本体５の径方向に互いに重なり合っている。
【００６５】
したがって、グリップ部材２０の前端部２３がリールシート本体５のアンダーカット部４１によって嵌合凹部２７の底面に沿うように保持され、グリップ部材２０の前端部２３が嵌合凹部２７の底面から剥離し難くなる。
【００６６】
図１２ないし図１４は、本発明の第３の実施の形態を開示している。
【００６７】
この第３の実施の形態は、グリップ部材２０の前端部２３とリールシート本体５の嵌合凹部２７との接触部分に形成される嵌合部５０の構成が上記第１の実施の形態と相違しており、これ以外のリール脚固定装置２の構成は、基本的に第１の実施の形態と同様である。
【００６８】
図１２および図１３に示すように、嵌合部５０は、嵌合凹部２７の底面の前端部から突出する凸部５１と、グリップ部材２０の前端部２３に形成された嵌合孔５２とを備えている。
【００６９】
図１４に示すように、凸部５１は、リールシート本体５の周方向に沿う細長い形状であるとともに、その付け根から突出端の方向に進むに従い次第に拡開されている。このため、凸部５１の外周部は、嵌合凹部２７の底面から遠ざかるに従い拡開するように傾斜する傾斜面５３をなしている。
【００７０】
嵌合孔５２は、凹部の一例であって、グリップ部材２０の前端部２３を貫通している。嵌合孔５２の内面は、凸部５１の傾斜面５３に対応する係止面５４をなしており、この係止面５４が傾斜面５３に接している。このため、傾斜面５３と係止面５４との接触部分は、リールシート本体５の軸線Ｏ１に対し傾斜している。
【００７１】
このような第３の実施の形態によれば、嵌合凹部２７の底面から突出する凸部５１がグリップ部２０の前端部に位置する嵌合孔５２に嵌まり込み、凸部５１の傾斜面５３と嵌合孔５２の係止面５４とがリールシート本体５の径方向に互いに重なり合っている。
【００７２】
この結果、グリップ部材２０の前端部２３が凸部５１によって嵌合凹部２７の底面に沿うように保持され、グリップ部材２０の前端部２３が嵌合凹部２７の底面から剥離し難くなる。
【００７３】
なお、第３の実施の形態において、上記嵌合孔５２の代わりに底を有する凹部をグリップ部材２０の前端部２３に形成し、この凹部に凸部５１を嵌合させるようにしてもよい。
【００７４】
この構成によれば、凹部の底で凸部５１の突出端を覆い隠すことができる。このため、グリップ部材２０の前端部２３の剥離を防止する構成要素がリール脚固定装置２の外から見えなくなり、リール脚固定装置２の外観が良好となる。
【００７５】
上記各実施の形態では、グリップ部材の前端部とリールシート本体との接触部分に剥離防止用の嵌合部を設けたが、本発明はこれに制約されない。例えば、グリップ部材の後端部が先細り状の形状を有する場合、このグリップ部材の後端部とリールシート本体との接触部分に剥離防止用の嵌合部を設けてもよい。
【図面の簡単な説明】
【００７６】
【図１】本発明の第１の実施の形態において、リール脚が固定されたリール脚固定装置を手で握った状態を示す側面図。
【図２】本発明の第１の実施の形態に係るリール脚固定装置の側面図。
【図３】（Ａ）は、本発明の第１の実施の形態に係るリール脚固定装置の一部を断面で示す側面図。（Ｂ）は、図３（Ａ）のF3-F3線に沿う断面図。
【図４】（Ａ）は、グリップ部材で被覆された本発明の第１の実施の形態に係るリールシート本体の側面図。（Ｂ）は、グリップ部材で被覆された本発明の第１の実施の形態に係るリールシート本体の底面図。
【図５】本発明の第１の実施の形態に係るリールシート本体の斜視図。
【図６】本発明の第１の実施の形態において、グリップ部材のアンカー部、リールシート本体の貫通孔および元竿管との位置関係を示す断面図。
【図７】図６のF7部を拡大して示す断面図。
【図８】図６のF8-F8線に沿う断面図。
【図９】本発明の第２の実施の形態において、リールシート本体とグリップ部材の前端部との接触部分の構造を示す断面図。
【図１０】図９のF10の部分を拡大して示す断面図。
【図１１】本発明の第２の実施の形態において、リールシート本体とグリップ部材の前端部との位置関係を示す平面図。
【図１２】本発明の第３の実施の形態において、リールシート本体とグリップ部材の前端部との接触部分の構造を示す断面図。
【図１３】図１２のF13の部分を拡大して示す断面図。
【図１４】本発明の第３の実施の形態において、リールシート本体とグリップ部材の前端部との位置関係を示す平面図。
【符号の説明】
【００７７】
２…リール脚固定装置、３…リール脚、５…リールシート本体、２０…グリップ部材、３１，４０，５０…嵌合部。
【図１】
2008029298.tif 000003
【図２】
2008029298.tif 000004
【図３】
2008029298.tif 000005
【図４】
2008029298.tif 000006
【図５】
2008029298.tif 000007
【図６】
2008029298.tif 000008
【図７】
2008029298.tif 000009
【図８】
2008029298.tif 000010
【図９】
2008029298.tif 000011
【図１０】
2008029298.tif 000012
【図１１】
2008029298.tif 000013
【図１２】
2008029298.tif 000014
【図１３】
2008029298.tif 000015
【図１４】
2008029298.tif 000016